(57)【要約】【課題】キセノンを封入したことで、効率や寿命の向上ができる電球において、問題となるアークの発生による短寿命の問題を解決できる電球を提供する。また、ガラスバルブの温度が上昇しすぎることが無いのでバルブの劣化のおそれが低減する。【解決手段】キセノンをガラスバルブ１内に７０〜９５容積％封入した電球において、フィラメント６の両端間の距離（Ａ）を５〜２０ｍｍ、フィラメント支持部６Ｔとフィラメント端部の接続部７Ｌとの距離（Ｂ）を７〜１０ｍｍ、フィラメントの発光部６Ｃの中心とガラスバルブ１の最短距離（Ｃ）を１２〜１６ｍｍ、フィラメントの各発光部６Ｃが形成する最小角度（θ）が２５〜１２０°となるようにガラスバルブ１内にフィラメント６を配置する。【選択図】図２
2006222058.tif 000002
【特許請求の範囲】
【請求項１】
ガラスバルブと；
タングステン素線をコイル状に巻回した複数の発光部およびこの発光部の間に連設する支持部を有するフィラメントと；
ガラスバルブ内にフィラメントの両端間の距離（Ａ）が５〜２０ｍｍとなるように支持する導入線と；
フィラメントの端部と支持部との距離（Ｂ）が７〜１０ｍｍとなるようにフィラメントの発光部の間の支持部を支持するアンカー線と；
ガラスバルブ内に封入された７０〜９５容積％のキセノンを含む不活性ガスと；
を具備していることを特徴とする電球。
【請求項２】
フィラメントの両端間の距離（Ａ）とフィラメントの端部とアンカーが支持する支持部の距離（Ｂ）との比Ｂ／Ａが０．５〜０．８の範囲内であることを特徴とする請求項１記載の電球。
【請求項３】
ガラスバルブと；
タングステン素線をコイル状に巻回した複数の発光部およびこの発光部の間に連設する支持部を有するフィラメントと；
ガラスバルブ内にフィラメントの両端間の距離（Ａ）が５〜２０ｍｍとなるように支持する導入線と；
フィラメントの互いに隣接する各発光部が形成する角度（θ）が２５〜１２０°となるように支持部を支持するアンカー線と；
ガラスバルブ内に封入された７０〜９５容積％のキセノンを含む不活性ガスと；
を具備していることを特徴とする電球。
【請求項４】
ガラスバルブと；
タングステン素線をコイル状に巻回した発光部およびこの発光部の間に連設する支持部を有するフィラメントと；
ガラスバルブ内にフィラメントの両端間を支持する導入線と；
フィラメントの発光部の間の支持部を支持するアンカー線と；
ガラスバルブ内に封入された７０〜９５容積％キセノンを含む不活性ガスと；
を具備している電球において、フィラメントの発光部の中心とガラスバルブの最短距離（Ｃ）が１２〜１６ｍｍの間にあることを特徴とする電球。
【請求項５】
フィラメントは二重コイルであって、発光部の一次コイル径に対する二次コイル巻線間隔の割合（％Ｐ）が１４０〜１８０％である事を特徴とする請求項１ないし４いずれか一記載の電球。
【請求項６】
ガラスバルブと；
直径０．０２〜０．０８ｍｍのタングステン素線をフィラメントの１次コイル径に対する２次コイルピッチの割合が１４０〜１８０％となるようにコイル状に二重に巻回された発光部を有するフィラメントと；
ガラスバルブ内にフィラメントの両端間の距離（Ａ）が５〜２０ｍｍとなるようにフィラメントを支持する導入線と；
ガラスバルブ内に６５〜１０１ｋＰａの圧力で封入された５０〜９５容積％のキセノンおよび５〜５０容積％の窒素の混合ガスからなる不活性ガスと；
を具備していることを特徴とする電球。
【請求項７】
ガラスバルブの内容積が２４．０〜４９．０ｃｍ３であり、定格電力が１５〜１００Ｗで点灯することを特徴とする請求項１ないし６いずれか一記載の電球。
【請求項８】
器具本体と；
この器具本体に設けられたソケットと；
このソケットに装着された上記請求項１ないし７いずれか一記載の電球と；
を具備していることを特徴とする照明装置。
【発明の詳細な説明】
【技術分野】
【０００１】
本発明は白熱電球および照明装置に関する。
【背景技術】
【０００２】
電球は、タングステン線を巻回したコイル状のフィラメントに通電してこれを発光させている。そして、このフィラメントの温度が高いほど発光効率は高まるが、高温度になるほどフィラメントのタングステンの蒸発も促進され、フィラメントが次第に痩せて細くなる部分が生じ、これらの部分から断線して電球は寿命に至る。
【０００３】
そこで、上記フィラメントのタングステンの蒸発を抑制して、より発光効率を高めるとともに長寿命化を図るため、一般の電球のバルブ内にはアルゴンなどの不活性ガスとともに窒素が封入されている。そして、このバルブ内に封入される不活性ガスも、原子量が大きいほど熱伝導率が低くタングステンの蒸発を抑制できることからアルゴン主成分に代えてクリプトン主成分、クリプトン主成分に変えてキセノン主成分を封入し、さらに発光効率の向上と長寿命化がはかられている。
【０００４】
そして、上記において得られる発光特性（寿命特性）を同じとすれば、原子量が大きい不活性ガスを封入した電球ほどバルブの容積を小さくでき、ガスの封入量を少なくできることが知られている。このことは、たとえば特許文献１および特許文献２に記載されていて、良好な発光特性と寿命特性が得られることが開示されている。
【０００５】
さらに、発光特性や寿命特性の向上またはバルブの小形化ができる電球およびこの電球を装着した照明装置を提供することを目的として特許文献３のようにキセノンを封入した電球バルブの表面に熱線吸収膜を具備した電球が開示されている。
【特許文献１】特開平４−１３８６５４号公報
【特許文献２】特許第３４１９７９３公報
【特許文献３】特開平１０−５５７８５号公報
【発明の開示】
【発明が解決しようとする課題】
【０００６】
しかしながら、キセノンはイオン化電圧が低く、ガラス管球中の封入量が増加するとアーク放電が発生してフィラメントが焼断し易くなるという問題がある。このことから、比較的高電圧を印加して点灯する白熱電球にキセノンガスを封入するときには、窒素ガス及び／又はクリプトンガスなどの他の不活性ガス乃至希ガスを併用するとともに、全封入ガスに占めるキセノンガスの割合を約１０体積％未満にすることが推奨されてきた。しかし、このような電球はキセノンガスの封入量が少ないので、キセノンガス本来の望ましい性質が充分発揮され難い。
【０００７】
本発明は、上記事情に鑑みなされたものであり、高電圧を印加して点灯してもアーク放電を起こし難く、良好な光出力特性または点灯寿命特性を発揮する白熱電球を提供することを目的とする。
【課題を解決するための手段】
【０００８】
請求項１の発明の電球は、ガラスバルブと；タングステン素線をコイル状に巻回した複数の発光部およびこの発光部の間に連設する支持部を有するフィラメントと；ガラスバルブ内にフィラメントの両端間の距離（Ａ）が５〜２０ｍｍとなるように支持する導入線と；フィラメントの端部と支持部の距離（Ｂ）が８〜８．５ｍｍとなるようにフィラメントの発光部の間の支持部を支持するアンカー線と；ガラスバルブ内に封入された７０〜９５容積％のキセノンを含む不活性ガスと；を具備している。
【０００９】
本発明および以下の各発明において、特に指定しない限り、用語の定義および技術的な意味は次による。
【００１０】
ガラスバルブは、ＰＳ形、Ｓ形、Ｒ形、Ｇ形などその形状は限らず、また、材質もソーダ石灰ガラスなどの軟質ガラスから硼ケイ酸塩ガラスなどの硬質ガラスあるいは石英ガラスであっても適用できる。また、バルブにはシリカ膜などの散光処理がしてあってもよい。さらに、ガラスバルブの表面には必要に応じ光拡散膜や反射膜、着色膜等が形成してあってもよい。
【００１１】
フィラメントは、タングステン素線をコイル状に巻回した発光部が少なくとも２つ形成され発光部と発光部の間は発光部と同一のタングステン素線によって形成された発光にはほとんど寄与しない「トビ（飛び）」と呼ばれる支持部が形成されている。フィラメントは、支持部がアンカー線に支持されるとともに両端部が導入線に支持されることにより、バルブ内に非直線形状で配設される。特に、発光部が２つの場合には、略Ｖ字形状となるように支持される。発光部は、一重または二重もしくは三重のコイル状に巻回されて、通電時は高温となって白熱発光する部分であり、支持部は発光部よりも疎に巻回されたりするので発光部よりは温度が低く、通電時でもほとんど発光しない部分である。そうして、導入線に支持されるフィラメントの両端間を結ぶ直線距離をＡ、導入線に支持される端部とフィラメントのアンカーに支持される支持部との距離をＢと規定している。
【００１２】
キセノンは封入量が少ないと、タングステンの蒸発速度の抑制作用が低くなり、最低でも７０容積％は必要である。また、９５容積％を超えるとキセノンのイオン化電圧が低いためにアーク開始電圧が著しく低下してアーク放電が発生しやすくなる。したがって、キセノン封入量の好ましい範囲は７５〜９５％、最適な範囲は９０〜９５％である。なお、キセノンと混合されるクリプトン、アルゴンや窒素など不活性ガスの種類によってガスの熱伝導率が異なることからキセノンの封入量は混入されるガスの種類によって選択する。混合する不活性ガスとして、窒素は安価であるとともに最もイオン化電圧が高くアーク開始電圧も高いことから混入し易い。
【００１３】
これらガラスバルブに封入するガスの封入圧力は室温で、６５〜１０１ｋＰａ（パスカル）が好ましい。６５ｋＰａ未満であると、保温効果が損なわれるために光束など発光効率の低下や短寿命が発生し好ましくない。また、１０１ｋＰａを超えると、軟質ガラスでは破裂する虞があり好ましくない。
【００１４】
内部にキセノンガスを封入している電球は、特に電位差が大きく温度が高温になるフィラメントの両端部付近で、アーク放電が発生しやすい。このため、本発明ではフィラメントの両端部間の距離（Ａ）を５〜２０ｍｍとなるように設定した。フィラメントの両端部間の距離が５ｍｍ未満であると、フィラメントの両端部間でアーク放電が発生しやすく、２０ｍｍを超えるとフィラメントの発光部がガラスバルブと近づいてしまいガラスバルブの温度が上昇し、ガラスバルブが劣化してしまうおそれがある。なお、距離（Ａ）の好ましい範囲は８〜１５ｍｍであり、最適範囲は１０〜１２ｍｍである。
【００１５】
また、フィラメントの端部と支持部との距離（Ｂ）は７〜１０ｍｍ、好ましくは８〜８．５ｍｍとしている。距離Ｂは、フィラメントの発光部がガラスバルブに近づき過ぎないようにフィラメントを部分的に屈曲させて非直線的にバルブ内に配設させたときの支持部−接続部間（支持部が複数存在する場合には隣接する支持部間）の距離を意味する。フィラメントの両端部間の距離（Ａ）が５〜２０ｍｍとした場合に、距離Ｂが７ｍｍ未満であると、フィラメント全長が小さくなるので所定の光束で発光することができず、フィラメント全長を確保した場合にあってもフィラメントを複数回屈曲させる必要があるので、必要な発光部長さのフィラメントを一般電球用ガラスバルブ内に配設するのが困難になってしまう。また、距離Ｂが１０ｍｍを超える場合には、距離Ａを５〜２０ｍｍとした場合においてフィラメントを一般電球用ガラスバルブ内に配設するのが困難になってしまう。なお、支持部−接続部間（支持部が複数存在する場合には隣接する支持部間）は温度が上昇し、また電位差が大きくなる部分でもあるので、上記放電が発生することも考えられる。この場合であっても、距離Ｂを７〜１０ｍｍ、好ましくは８〜８．５ｍｍとしているので、支持部−接続部間（支持部が複数存在する場合には隣接する支持部間）放電の発生を抑制することが可能である。
【００１６】
請求項２の発明は、請求項１記載の電球において、フィラメントの両端間の距離（Ａ）とフィラメントの端部とアンカーが支持する支持部の距離（Ｂ）との比Ｂ／Ａが０．５〜０．８の範囲内であることを特徴とする。
【００１７】
請求項３の発明の電球は、ガラスバルブと；タングステン素線をコイル状に巻回した複数の発光部およびこの発光部の間に連設する支持部を有するフィラメントと；ガラスバルブ内にフィラメントの両端間の距離（Ａ）が５〜２０ｍｍとなるように支持する導入線と；フィラメントの互いに隣接する各発光部が形成する角度（θ）が２５から１２０°となるように支持部を支持するアンカー線と；ガラスバルブ内に封入された７０〜９５容積％のキセノンを含む不活性ガスと；を具備している。
【００１８】
内部にキセノンガスを封入している電球は、温度が高温になるフィラメントの距離が近くまた電位差が大きくなるような付近で、アーク放電が発生しやすい。このためフィラメントの各発光部の形成する最小角度θ（発光部が２つの場合に形成される略Ｖ字状のフィラメントの場合には、フィラメントが形成する平面に直交する方向から見たときのフィラメントの各発光部が交わる角度）が２５〜１２０°となるようにアンカー線によって支持部が支持される。この角度が２５°未満であるとフィラメントの発光部間の距離が近くなるのでアーク放電が発生しやすく、１２０°を超えるとフィラメントの発光部がガラスバルブと近づいてしまいガラスバルブの温度が上昇し、ガラスバルブが劣化してしまうおそれがある。角度θは、発光部を３つ以上有する（支持部が複数存在する）フィラメントの場合には、複数存在することになるが、全ての角度θが２５〜１２０°となっていればよい。
【００１９】
請求項４の発明の電球は、ガラスバルブと；タングステン素線をコイル状に巻回した発光部およびこの発光部の間に連設する支持部を有するフィラメントと；ガラスバルブ内にフィラメントの両端間を支持する導入線と；フィラメントの発光部の間の支持部を支持するアンカー線と；ガラスバルブ内に封入された７０〜９５容積％キセノンを含む不活性ガスと；を具備している電球において、フィラメントの発光部の中心とガラスバルブの最短距離が１２〜１６ｍｍの間にある。
【００２０】
ガラスバルブは、温度が高い状態が続くと劣化しやすく、特に２２０℃以上になるとガラスバルブの表面に外部雰囲気の水分とガラスバルブの表面成分が化学反応して歪などが生じてしまうおそれがある。このためガラスバルブの表面温度が高温にならないようにガラスバルブとフィラメント発光部の中心の距離を１２ｍｍ以上とする必要がある。ここで「フィラメントの発光部の中心」とは、フィラメントの発光部分の略中央であって、最も温度の高い点を示している。また、フィラメントとガラスバルブの距離が１６ｍｍより大きくなるとガラスバルブの寸法が大きくなり、あるいはフィラメントが略平らに形成されてフィラメントのマウントが広く大きくなりやすい。例えば、ＰＳ３５サイズのバルブを用いた場合では、フィラメントをバルブネックよりも大きく形成しなければならないので製造が困難であり、またフィラメントなどが変形しやすい等の不具合が生じる。
【００２１】
請求項５は請求項１ないし４いずれか一記載の電球であって、フィラメントは二重コイルであって、発光部の一次コイル径に対する二次コイル巻線間隔の割合（％Ｐ）が１４０〜１８０％であることを特徴とする。
【００２２】
フィラメントの発光部における一次コイル径に対するコイル巻線間隔の割合（％Ｐ）が１４０％よりも小さくなると、白熱光の出力が大きくなるものの発光部の温度が過度に上昇するのでタングステンの蒸発が促進され、一般電球に必要な寿命特性（例えばフィラメント断線までの点灯時間として２０００時間）を確保することが困難である。１８０％よりも大きくなると、フィラメントの発光部の温度が適度に上昇しないので、希ガス封入白熱電球として要求される一般的な省電力特性（例えば１３lm／W）を満足することが困難である。
【００２３】
請求項６の発明の電球は、ガラスバルブと；直径０．０２〜０．０８ｍｍのタングステン素線をフィラメントの１次コイル径に対する２次コイルピッチの割合が１４０〜１８０％となるようにコイル状に二重に巻回された発光部を有するフィラメントと；ガラスバルブ内にフィラメントの両端間の距離（Ａ）が５〜２０ｍｍとなるようにフィラメントを支持する導入線と；ガラスバルブ内に６５ｋＰａ〜１０１ｋＰａの圧力で封入された５０〜９５容積％のキセノンおよび５〜５０容積％の窒素の混合ガスからなる不活性ガスと；を具備していることを特徴とする。
【００２４】
従来のクリプトン電球のランプ効率を損なうことなく高効率点灯を実現するためには、封入混合ガスの組成、混合比率、封入圧力とともにフィラメントのコイル設計が重要である。特に小形の白熱電球を実現するためにはガラスバルブ内に所定の外径、長さを有するタングステン素線を効率的に二重コイル形状に券回したフィラメントと組合せる必要がある。本発明者等は、これらを踏まえて最適なフィラメントを検討した結果、タングステン素線の外径は０．０２〜０．０８ｍｍとし、フィラメントの１次巻線径に対する２次巻線ピッチの割合を１４０〜１８０％とするのが最適であるのが分かった。
【００２５】
タングステン素線の直径が０．０２ｍｍ未満であるとランプ効率が低下するとともに強度が低下するので好ましくない。直径が０．０８ｍｍを超えると所定の電力を投入するためにはフィラメントサイズが大きくなってしまい、白熱電球の小形化には不向きである。
【００２６】
キセノンは封入量が少ないと、タングステンの蒸発速度の抑制作用が低くなり、最低でも５０容積％は必要である。また、９５容積％を超えるとキセノンはイオン化電圧が低くアーク開始電圧が低下して好ましくない。好ましくは７０〜９５％、最適には７５〜９５％の範囲である。
【００２７】
請求項７の発明は、請求項１ないし６いずれか一記載の電球において、ガラスバルブの内容積が２４．０〜４９．０ｃｍ３であり、定格電力が１５〜１００Ｗで点灯することを特徴とする。
【００２８】
キセノンガスの封入によってフィラメントは高効率発光することになるが、バルブ内は保温効果によって一層高温となる。ガラスバルブの内容積が２４．０ｃｍ３未満の場合には、バルブ内の圧力が過度に上昇してバルブが破裂しやすくなるため不可である。ガラスバルブの内容積が４９．０ｃｍ３を超えると保温効果による高効率点灯が期待できず、また白熱電球が大形化するため好ましくない。
【００２９】
請求項７の発明の照明装置は、器具本体と；この器具本体に設けられたソケットと；このソケットに装着された上記請求項１ないし６いずれか一記載の電球と；を具備している。
【００３０】
照明装置は、一般家庭や店舗などで使用されるペンダント、ブラケット、スタンドなどの器具の他、電球を使用するあらゆる照明装置を許容する。
【発明の効果】
【００３１】
請求項１の発明によれば、キセノンを封入したことで、効率や寿命の向上ができる電球において、問題となるアークの発生による短寿命の問題を解決できる電球を提供することができる。また、ガラスバルブの温度が上昇しすぎることが無いのでバルブの劣化のおそれが低減できる。
【００３２】
請求項２の発明によれば、請求項１の発明の効果の最適値で電球を得ることができる。
【００３３】
請求項３の発明によれば、アークの発生による短寿命の問題を解決できる電球を提供することができる。また、ガラスバルブの温度が上昇しすぎることが無いのでバルブの劣化のおそれを低減できる。
【００３４】
請求項４の発明によれば、ガラスバルブの温度が上昇しすぎることが無いのでバルブの劣化のおそれが低減できる。
【００３５】
請求項５の発明によれば、請求項１ないし４に記載の効果に加えてコイル間でのアークの発生による短寿命の問題を解決できる電球を提供することができる。
【００３６】
請求項６の発明によれば、キセノンと窒素ガスとを所定の混合比率および封入圧力で封入し、フィラメントの素線径とコイルピッチとを最適化することによって、アークの発生による短寿命を抑制しつつ、ランプ効率を向上させることができる。
【００３７】
請求項７の発明によれば、ガラスバルブの内容積を適正化して１５Ｗ〜１００Ｗのランプ電力で点灯したので、キセノンガスの保温効果が損なわれずにガラスバルブが寿命中に高温となって破裂することを抑制した電球を提供することができる。
【００３８】
請求項８の発明によれば、請求項１ないし７に記載の効果を奏する照明装置を提供することができる。
【発明を実施するための最良の形態】
【００３９】
以下、本発明電球の実施の形態を図１を参照して説明する。図１は一般照明用電球１０を拡大して示す正面図、図２は図１の電球のフィラメントの拡大断面図、図２のフィラメントの中央部分の拡大断面図である。
【００４０】
図中１はＰＳ３５型のガラスバルブ、２はこのバルブ１の開口端部に封着されたフレヤステム３を有するマウントである。このステム３は、ステム管３Ｔの一端側に一対のリード線４，４、ケーングラス３Ｃおよび排気管（図示しない。）を気密に植設した圧潰封止部３Ｓを形成しているとともにケーングラス３Ｃの先端部にモリブデン線などの高融点金属線の一端を植設したアンカー５からなる。
【００４１】
また、６は１１０Ｖ６０Ｗ用の二重コイル状フィラメントで、タングステン素線を巻回した単コイル６Ｓをさらに巻いた二重コイル状の発光部６Ｃを有し、この発光部６Ｃの中間には二重コイル状部の約１〜２ターン分の長さを単コイル６Ｓのままとした支持部（飛び部）６Ｔが形成してある。また、コイル状をなす発光部６Ｃの両端には同様に素線のままとしたレグ部６Ｌ，６Ｌが形成してある。
【００４２】
そして、この二重コイル状フィラメント６は、その両端のレグ部６Ｌ，６Ｌが上記リード線４，４の先端部分を折曲げ形成したフックに挟圧あるいは先端部分に溶接等の手段で継線されているとともに中間の支持部６Ｔにアンカー線５の多端側に形成したループ部５Ｒが巻き付けられた逆Ｖ字形をなすＣＣ−２型のマウントを構成している。すなわちフィラメント６は単コイル６Ｓからなるレグ部６Ｌ，６Ｌおよび支持部６Ｔがそれぞれ接続部７Ｌ，７Ｌおよびループ部５Ｒによって支持されている。本実施形態の場合、フィラメント６の全長２３ｍｍ、発光部６ｃ，６ｃの長さはそれぞれ１１ｍｍ、タングステンの素線の径は０．０４９ｍｍ、タングステン素線の全長は約５０２ｍｍのものを使用している。
【００４３】
また、上記バルブ１内にはキセノン（Ｘｅ）が９０容積％の不活性ガスと残部窒素ガス（Ｎ２）との混合ガスが常温で約８２．６ｋＰａの圧力封入されている。また、バルブの内容積は２４．０ｃｍ３〜４９．０ｃｍ３である。
【００４４】
また、図中８はバルブ１端部の封着部に接着剤等を介し接合された口金で、上記リード線４，４と連接した外部リード線と接続している。そして、上記構成の電球１０は、図示しないソケット等に装着して通電され、リード線４，４を介し接続したフィラメント６の二重コイル状の発光部６Ｃ，６Ｃは高温となって発光しバルブ１外に光放射をする。
【００４５】
また、図２中Ａは、フィラメントの両端間の距離（接続部７Ｌ，７Ｌ間の直線距離）であり、Ｂはフィラメントの端部とアンカーが支持する支持部６Ｔの距離（接続部７Ｌとループ部５Ｒの直線距離）、Ｃはフィラメントの発光部の中心とガラスバルブの最短距離、θはフィラメントの各発光部６ｃ，６ｃが形成する最小角度を示している。
【００４６】
これらの値によるバルブ温度の値およびアーク発生割合をそれぞれ下表に示す。また、バルブの温度の測定は、ランプを点灯させて３０分後バルブ温度が安定した状態でバルブの表面温度の最も高い部分を測定した。また、１５０％Ｖ以下でのアーク発生の有無は、定格電圧の１５０％の電圧（１５０Ｖ）を入力してのアークの発生を目視で確認し、アーク発生電圧の測定は、入力電圧を１００Ｖから１０Ｖ毎電圧を上昇させていき、ランプをセットした状態で入力電源を投入したときの電球内部のアークの発生の有無を目視で確認した。アークが入力電圧１２０Ｖ以下で発生しなかった場合には、入力電圧を上昇させてアークが発生したときの入力電圧を測定した。
【表１】
2006222058.tif 000003
【００４７】
表１において、ｈ（ｍｍ）は接続部７Ｌ，７Ｌを結ぶ直線と支持部６Ｔとの最短距離を示している。フィラメントの両端部間の距離（Ａ）が５ｍｍ未満であると、フィラメントの両端部間（Ａ）で定格の１２０％の電源電圧でアーク放電の発生が生じてしまう。また、２０ｍｍを超えるとフィラメントの発光部がガラスバルブと近づいてフィラメントの発光部の中心とガラスバルブとの最短距離（Ｃ）が１２ｍｍ未満となってしまい、バルブの表面温度が２３０℃を超えてしまった。さらに、フィラメントの端部と支持部との距離（Ｂ）が８ｍｍ未満であるとフィラメント支持部とフィラメント両端部の距離を短くせざるを得ず、定格の１５０％の電源電圧でアーク放電の発生が生じてしまう。８．５ｍｍを超えるとバルブの表面温度が２１０℃を超えてしまった。以上の結果から、Ｂ／Ａが０．２〜０．８となる範囲で、Ａ＝１２〜１６ｍｍ、Ｂ＝８〜８．５ｍｍであると好適である。
【表２】
2006222058.tif 000004
【００４８】
以上の結果から、フィラメントの各発光部の形成する角度（θ）が２５°未満であると定格の１５０％の電源電圧でアーク放電が発生し、１２０°を超えるとフィラメントの発光部の中心とガラスバルブとの最短距離（Ｃ）が１２ｍｍ未満となってしまうのでガラスバルブの温度２２９℃に上昇してしまうことがわかった。
【００４９】
また、角度（θ）が２５°であっても両端部間の距離（Ａ）が５ｍｍ未満であると定格の１５０％の電源電圧でアーク放電が発生してしまうことがわかった。
【００５０】
次に、フィラメントの１次巻線（単コイル６Ｓ）の径ｄ１に対する２次巻線６ＣのピッチＰ２の割合（Ｐ２／ｄ１）を変化させたときのアーク発生電圧について測定した結果を表３に示す。このフィラメントは、所定の光出力を得るためにタングステンの素線長を一定としているものであり、Ｐ２／ｄ１が小さくなるに従ってフィラメントの両端部間の距離（Ａ）が小さくなるものである。
【表３】
2006222058.tif 000005
【００５１】
以上の結果から、フィラメントの発光部におけるコイル径（単コイル６Ｓの直径）に対する２次コイル６Ｓの巻線間隔の割合（％Ｐ）は、１４０％よりも小さくなると距離（Ａ）が５ｍｍより小さくなるのでアーク放電開始電圧が低くなり、アーク放電が発生するおそれがある。また、（％Ｐ）が１８０％よりも大きすぎる発光部が適度に温度上昇しないため発光効率が低下した。
【００５２】
また、二次巻線ピッチの割合を１４０〜１５０％Ｐとし、タングステン素線の外径を０．０５０〜０．０８０ｍｍとすると定格寿命が４０００ｈとなって従来のクリプトンガス入りの同様の定格電力に対して２倍の長寿命電球が実現できる。さらに、二次巻線ピッチの割合を１５１〜１８０％Ｐとし、タングステン素線の外径を０．０４０〜０．０７０ｍｍとすると定格寿命が従来のクリプトンガス入りの電球と同等であって消費電力が約１７％抑えつつ同等の全光束を出力する節電形の電球が実現できる。これら電球の諸特性を表４に示す。なお、各電球のバルブはクリアバルブである。
【表４】
2006222058.tif 000006
【００５３】
さらに、キセノンガスの体積比は７０〜９５％が好ましい。７０％未満であると１４．３（lm/w）以下にランプの効率が低下し９５％を超えるとアーク発生電圧が１４０Ｖ以下となり、電源電圧１００Ｖを印加した場合でも電源電圧のピーク電圧よりもアーク発生電圧が低いためアーク放電が発生してしまうためである。さらに好適には９０〜９５％である効率向上も見込まれアーク放電が発生するおそれが少ない。
【００５４】
また、上記の実施形態では、フィラメントはバルブ頂部に向かって略逆Ｖ字に形成している例であるが、バルブの略中心にバルブ上部から見て略Ｖ字になるように、水平に配置させることも許容する。
【００５５】
口金８は、ねじ込みタイプのいわゆるＥ形口金であって、ねじが形成されたシェル部、頂部のアイレット部およびシェル部とアイレット部との間を絶縁する絶縁部からなるが、キセノンガスが混合された高効率ランプであることが消費者から認識可能なように、口金８のシェル部を従来の銀色ではなく、金色等に色付けするのが好ましい。口金８のシェルは真鍮製であり、この外表面にニッケル鍍金することで表面が銀色に見えるが、このニッケル層の表面に０．０１〜１０μｍ、好ましくは０．０１〜１．０μｍ、最適には０．０５〜０．５μｍの金（Ａｕ）鍍金を施して、外観上金色のシェルを実現することができる。この金メッキの膜厚が０．０１μｍ未満だと金色が薄くて良好に視認でないので好ましくない。また、金メッキの膜厚が１０μｍを超えるとメッキがはがれやすく、またコストも上昇するので不可である。なお、金メッキの下地層はニッケルに限らず、導電性を有する鍍金可能な金属であればよい。
【００５６】
次に図４を参照して照明装置の実施形態を説明する。本実施形態は、照明器具９に蒸気の電球１０が組込みまれ使用される。図３において９１は筐体を形成する基体、９２は基体９１に設けられたソケット、９３は基体９１に取付けられたセード、グロー部や反射体、９４はソケット９２に接続した給電線で、上記ソケット９２に上記電球１０の口金８が装着されている。
【００５７】
このような構成の照明装置（照明器具）９は、給電線９４を介し通電すると、ソケット９２に装着した電球１０が点灯する。そして、この電球１０は、上述したようにコイル状フィラメント６の熱損失が少なく、良好な発光特性および寿命を得ることができる。
【図面の簡単な説明】
【００５８】
【図１】本発明の白熱電球の実施例を示す一部切欠正面図である。
【図２】同じくフィラメントの拡大断面図である。
【図３】同じくフィラメントの中央部分の拡大断面図である。
【図４】図１の白熱電球を装着した本発明の照明装置の実施例を示す一部切欠正面図である。
【符号の説明】
【００５９】
１０：電球、１：ガラスバルブ、２：マウント、３：ステム、４：リード線、５：アンカー線、６：フィラメント、６Ｃ：発光部、６Ｔ：支持部（飛び部）、７Ｌ：接続部、９：照明装置（照明器具）、９１：基体、９２：ソケット。
【図１】
2006222058.tif 000007
【図２】
2006222058.tif 000008
【図３】
2006222058.tif 000009
【図４】
2006222058.tif 000010